【手続補正書】
【提出日】平成21年11月5日(2009.11.5)
【手続補正１】
【補正対象書類名】特許請求の範囲
【補正対象項目名】全文
【補正方法】変更
【補正の内容】
【特許請求の範囲】
【請求項１】
周方向に周回すると共に、該周方向に複数種の絵柄が付された複数の周回体と、
前記各周回体について各絵柄のうち一部の絵柄を視認可能とする表示部と、
前記各周回体の周回を開始させるべく操作される始動操作手段と、
前記始動操作手段の操作に基づいて役の抽選を行う抽選手段と、
前記各周回体毎に設けられ、該各周回体を周回させる駆動手段と、
前記始動操作手段の操作に基づいて前記各周回体の周回を開始させるよう前記各駆動手段を開始駆動制御する開始駆動制御手段と、
前記各周回体の周回を個別に停止させるべく操作される複数の停止操作手段と、
前記抽選手段の抽選結果及び前記各停止操作手段の操作に基づいて対応する周回体の周回を停止させるよう、前記各駆動手段を停止駆動制御する停止駆動制御手段と、
前記表示部から視認可能な有効位置に前記役の抽選に当選した当選役と対応する当選絵柄の組合せが停止した場合、入賞成立として遊技者に特典を付与する特典付与手段と
を備えた遊技機において、
前記役の抽選が行われる抽選役を、前記役の抽選結果が第１役と第２役に共に当選となる機会が生じ、且つ前記第２役にのみ当選となる機会が生じないように設定し、
前記停止駆動制御手段を、前記役の抽選結果が前記第１役と前記第２役に共に当選であって、前記第１役と対応する第１絵柄を前記有効位置に到達させることが可能なタイミングで前記停止操作手段を操作された場合、前記第１絵柄を優先して前記有効位置に停止させるよう前記各駆動手段を停止駆動制御する構成とし、
前記第２役と対応する第２絵柄の付された規定周回体には、前記役の抽選結果が前記第１役と前記第２役に共に当選であって、前記第２絵柄を前記有効位置に到達させることが可能なタイミングで対応する停止操作手段が操作された場合、前記第１絵柄を前記有効位置に停止させることができるよう、前記第１絵柄と前記第２絵柄を配置したことを特徴とする遊技機。
【請求項２】
周方向に周回すると共に、該周方向に複数種の絵柄が付された複数の周回体と、
前記各周回体について各絵柄のうち一部の絵柄を視認可能とする表示部と、
前記各周回体の周回を開始させるべく操作される始動操作手段と、
前記始動操作手段の操作に基づいて役の抽選を行う抽選手段と、
前記各周回体毎に設けられ、該各周回体を周回させる駆動手段と、
前記始動操作手段の操作に基づいて前記各周回体の周回を開始させるよう前記各駆動手段を開始駆動制御する開始駆動制御手段と、
前記各周回体の周回を個別に停止させるべく操作される複数の停止操作手段と、
前記表示部から視認できる有効位置に前記停止操作手段が操作された際に到達している到達絵柄と、前記有効位置に停止させる停止絵柄との関係を導出し得る停止情報群を複数記憶する停止情報群記憶手段と、
前記抽選手段の抽選結果に応じて前記複数の停止情報群から１の停止情報群を選択する停止情報群選択手段と、
前記各停止操作手段が操作された場合、前記停止情報群選択手段の選択した停止情報群に基づいて対応する周回体の周回を停止させるよう前記各駆動手段を停止駆動制御する停止駆動制御手段と、
前記有効位置に前記役の抽選に当選した当選役と対応する当選絵柄の組合せが停止した場合、入賞成立として遊技者に特典を付与する特典付与手段と
を備えた遊技機において、
前記役の抽選が行われる抽選役を、前記役の抽選結果が第１役と第２役に共に当選となる機会が生じ、且つ前記第２役にのみ当選となる機会が生じないように設定し、
前記第１役と対応する第１絵柄を前記有効位置に到達させることが可能であれば前記停止絵柄として前記第１絵柄が導出されるように定めた第１停止情報群を前記停止情報群記憶手段に記憶するとともに、前記停止情報群選択手段を、前記役の抽選結果が前記第１役と前記第２役に共に当選である場合には前記第１停止情報群を選択する構成とし、
前記第２役と対応する第２絵柄の付された規定周回体には、前記役の抽選結果が前記第１役と前記第２役に共に当選であって、前記第２絵柄を前記有効位置に到達させることが可能なタイミングで対応する停止操作手段が操作された場合、前記第１絵柄を前記有効位置に停止させることができるよう、前記第１絵柄と前記第２絵柄を配置したことを特徴とする遊技機。
【請求項３】
前記第２役に当選した場合、入賞成立有無に関わらず遊技状態を変更することが可能な遊技状態変更手段を設けたことを特徴とする請求項１又は２に記載の遊技機。
【請求項４】
周方向に周回すると共に、該周方向に複数種の絵柄が付された複数の周回体と、
前記各周回体について各絵柄のうち一部の絵柄を視認可能とする表示部と、
前記各周回体の周回を開始させるべく操作される始動操作手段と、
前記始動操作手段の操作に基づいて役の抽選を行う抽選手段と、
前記各周回体毎に設けられ、該各周回体を周回させる駆動手段と、
前記始動操作手段の操作に基づいて前記各周回体の周回を開始させるよう前記各駆動手段を開始駆動制御する開始駆動制御手段と、
前記各周回体の周回を個別に停止させるべく操作される複数の停止操作手段と、
前記表示部から視認できる有効位置に前記停止操作手段が操作された際に到達している到達絵柄と、前記有効位置に停止させる停止絵柄との関係を導出し得る停止情報群を複数記憶する停止情報群記憶手段と、
前記抽選手段の抽選結果に応じて前記複数の停止情報群から１の停止情報群を選択する停止情報群選択手段と、
前記各停止操作手段が操作された場合、前記停止情報群選択手段の選択した停止情報群に基づいて対応する周回体の周回を停止させるよう前記各駆動手段を停止駆動制御する停止駆動制御手段と、
前記有効位置に前記役の抽選に当選した当選役と対応する当選絵柄の組合せが停止した場合、入賞成立として遊技者に特典を付与する特典付与手段と、
前記有効位置に所定絵柄の組合せが停止した場合、遊技状態を第１遊技状態から第２遊技状態に移行させる第２遊技状態移行手段と
を備えた遊技機において、
前記役の抽選が行われる抽選役を、前記役の抽選結果が第１役と第２役に共に当選となる機会が生じ、且つ前記第２役にのみ当選となる機会が生じないように設定し、
前記停止駆動制御手段を、遊技状態が前記第１遊技状態である場合、前記停止操作手段の操作タイミングから予め定めた規定期間に対応する周回体の周回を停止させるよう前記各駆動手段を停止駆動制御する構成とし、
前記第１役と対応する第１絵柄を前記有効位置に到達させることが可能であれば前記停止絵柄として前記第１絵柄が導出されるように定めた第１停止情報群を前記停止情報群記憶手段に記憶するとともに、前記停止情報群選択手段を、前記役の抽選結果が前記第１役と前記第２役に共に当選である場合には前記第１停止情報群を選択する構成とし、
さらに、
前記第２遊技状態下で前記第２役に当選した場合、前記第２遊技状態を終了させる第２遊技状態終了手段を設け、
前記第２役と対応する第２絵柄の付された規定周回体には、前記第１遊技状態下で前記第１役と前記第２役に共に当選となり、前記第２絵柄を前記有効位置に到達させることが可能なタイミングで対応する停止操作手段が操作された場合、前記第１絵柄を前記有効位置に停止させることができるよう、前記第１絵柄と前記第２絵柄を配置したことを特徴とする遊技機。
【請求項５】
前記停止駆動制御手段は、前記第１遊技状態下で前記周回体の周回を停止させる停止態様として、前記停止操作手段の操作タイミングで前記有効位置に到達している到達絵柄を当該有効位置に停止させる停止態様と、前記到達絵柄を前記周回体の周回する側に予め定めた絵柄数分だけ移動させた後に停止させる停止態様と、のうち複数の停止態様を有し、
前記規定周回体には、前記有効位置に先に到達する第１絵柄と前記有効位置に次に到達する第１絵柄の間隔が前記規定期間に前記到達絵柄の移動できる最大絵柄数以下の特定区間が形成されるように前記第１絵柄を配置し、前記特定区間に前記第２絵柄を配置したことを特徴とする請求項４に記載の遊技機。
【請求項６】
前記停止駆動制御手段は、遊技状態が前記第２遊技状態である場合、前記規定周回体のうち所定周回体を、前記停止操作手段の操作タイミングから前記規定期間より短い第２規定期間に停止させるよう対応する駆動手段を停止駆動制御する第１停止駆動制御手段と、遊技状態が前記第２遊技状態である場合、前記所定周回体以外の周回体を、前記停止操作手段の操作タイミングから前記規定期間に停止させるよう対応する駆動手段を停止駆動制御する第２停止駆動制御手段と、を備えることを特徴とする請求項４又は５に記載の遊技機。
【請求項７】
前記規定周回体は全ての周回体であり、前記各停止駆動制御手段は、前記役の抽選結果が前記第１役と前記第２役に共に当選であって、前記有効位置にいずれかの周回体に付された第１絵柄が停止した場合、前記第１停止情報群に基づいて周回中の周回体と対応する駆動手段を停止駆動制御することを特徴とする請求項６に記載の遊技機。